(57)【要約】      （修正有）【課題】生けた花の持ちが良い新たな花瓶を提供する。【解決手段】本発明に係る花瓶１０は、中間に空隙５が確保される状態で外装容器２と内装容器４とを設けた複層容器型の花瓶であって、空隙１８に貯留される水１２を、花１３を生ける内装容器４との間で循環させる循環手段２０とを備える。【選択図】図５
2018075340.tif 000002
【特許請求の範囲】
【請求項１】
中間に空隙が確保される状態で外装容器と内装容器とを設けた複層容器型の花瓶であって、
前記空隙に貯留される水を、花を生ける前記内装容器との間で循環させる循環手段を備える花瓶。
【請求項２】
前記循環手段は、前記空隙内の水を送り出す循環ポンプと、前記循環ポンプと前記内装容器と接続された流路を有する請求項１に記載の花瓶。
【請求項３】
前記内装容器は、その底部と前記外装容器の内底部との間に空間が形成されるように前記外装容器内に配置され、
前記循環ポンプは、前記空間に配置される請求項１又は２に記載の花瓶。
【請求項４】
前記外装容器に、少なくとも前記外装容器の内部を照らす照明部を設けた請求項１、２又は３に記載の花瓶。
【請求項５】
前記外装容器の周壁には観賞窓が設けられ、
前記内装容器の外側面の少なくとも前記観賞窓に対向する部分には、装飾が施された請求項１ないし４の何れか１項に記載の花瓶。
【請求項６】
前記外装容器の内面には、少なくとも前記観賞窓を透して外部から見ることが可能な部分に装飾を施した請求項１ないし４の何れか１項に記載の花瓶。
【発明の詳細な説明】
【技術分野】
【０００１】  本発明は、外装容器と内装容器とを備えた複層容器型の花瓶に関する。
【背景技術】
【０００２】  内外複層容器から構成する花瓶は、すでに知られていて、壷または壺形の外装容器内に花挿し用の内装容器を収容した型式のものも多い（例えば特許文献１，２）。
【先行技術文献】
【特許文献】
【０００３】
【特許文献１】  実開平５−４６２７１号公報
【特許文献２】  登録実用新案第３０３８１６６号公報
【発明の概要】
【発明が解決しようとする課題】
【０００４】  特許文献１，２の構造によれば、容器内に溜めている水が循環しないため、水が痛み易く、生けた花の持ちがよくないと考えられる。
本発明は、生けた花の持ちが良い新たな花瓶を提供することを、その目的とする。
【課題を解決するための手段】
【０００５】  上記目的を達成するために、本発明に係る、中間に空隙が確保される状態で外装容器と内装容器とを設けた複層容器型の花瓶は、空隙に貯留される水を、花を生ける内装容器との間で循環させる循環手段を備えることを特徴としている。
【発明の効果】
【０００６】  本発明によれば、循環手段によって空隙に貯留される水が花を生ける内装容器との間で循環されるので、内装容器内の水を入れ替えることができ、生けた花の持ちが良くなる。
【図面の簡単な説明】
【０００７】
【図１】本発明の実施形態に係る花瓶を説明する斜面図。
【図２】図１の花瓶の内部構成を説明する断面図。
【図３】図２の線ＩＩＩ−ＩＩＩで切断した断面の概略図。
【図４】容器内に設けた循環手段の構成と水の流れを説明する図。
【図５】花瓶に花を生けた状態と水が循環する状態を説明する図。
【図６】照明部を備えた花瓶の内部構成を説明する断面図。
【発明を実施するための形態】
【０００８】  以下、本発明に係る実施形態について図面を用いて説明する。実施形態において、同一機能や同一構成を有するものには同一の符号を付し、重複説明は適宜省略する。図面は、一部構成の理解を助けるために部分的に省略する場合もある。
【０００９】  本実施形態に係る花瓶１０は、図１に示すように、頂部に開口１がある球形に近い壷状の外装容器２と、頂部に開口３がある内装容器４を備えている。外装容器２の内部には内装容器４を開口１から挿入して収容することで、同心円状に配置されて外装容器２と内装容器４との中間に空隙５を形成している。内装容器４は、図２に示すように、ブラケット１１を介して空隙５内で開口３が開口１と重合されるように立設状態に保持される。内装容器４は、その底部４ａと外装容器２の内底部２ａとの間に空間１８が形成されるように外装容器２内に配置されている。
外装容器２の周壁の一部には、比較的大きい（例えば開口１よりも大きい）観賞窓６が形成されている。観賞窓６は、円形，楕円形，三角形，四角形，異形等任意の形状を選択できるが、図示のような不規則な線で模られた非幾何学的形状に形成すると、風雅な趣を際立たせることができる。なお、外装容器２をその観賞窓６が背方に向くように適度に回転した状態に配置することにより、内部装飾７が見えない通常の花瓶としての役割も果たすことができる。
【００１０】  図１ないし図３に記載の花瓶１０において、外装容器２における開口１は円形であり、その寸法は内装容器４の外周が挿入可能な大きさに形成されている。内装容器４は有底筒状のカップ形状で外装容器２における開口１に上方から挿し込むことで内装容器４に収納される。なお、内装容器４は、その全長や観賞窓６の大きさの関係から可能な場合には観賞窓６から外装容器２に収納してもよい．
本実施形態において、観賞窓６は１つの形態として説明したが、２個以上の複数個設けてもよく、大きさも任意に形成することができる。例えば図１に破線で示すように小型の観賞窓６を併設してもよい。
【００１１】  内装容器４の周面には、少なくとも外装容器２における観賞窓６に対向する部分即ち観賞窓６から見える部分に例えば風景画（図示の例では滝の風景）等の装飾７を実写に摸して凹凸面で施し、更に外装容器２の内面に内装容器４の装飾７に対応した装飾８をこれも実写に摸して凹凸面としている。装飾７、装飾８には、モルタル、耐水性の材料を使用し更に彩色を施している。
【００１２】  外装容器２の形状は、図１に示すような球形に近いものに限らず、例えば円筒状，角筒状，円錐台状，角錐台状，逆円錐台状，逆角錐台状，ビヤ樽状等、種々の形状を選択することができる。外装容器２の材質は、任意のものを使用できるが、陶磁器，ガラス，プラスチック，発泡プラスチック，木等で製作するのが望ましい。ガラスあるいはプラスチックを使用する場合は、少なくとも観賞窓６を除外して外方からは内装容器４が透視できない実質的に不透明に構成にする。この明細書において実質的に不透明とは、透明な素材を使用した場合には周壁の表面および／または裏面に不透明な膜を設け、あるいは壁体の内部に不透明となる粒子を含有させることにより、外装容器２の壁体を透して他側が見えない状態を指すものとする。
【００１３】  空隙５及び内装容器４には、図２、図４に示すように水１２が貯留される。本実施形態において、水１２の概念には、水（Ｈ２Ｏ）単独の他、花１３の成長や延命に必要な添加物を混ぜた液体、液肥なども含まれる。
花瓶１０は、空隙５と内装容器４との間で水１２を循環させる循環手段２０を備えている。循環手段２０は、空隙５内の水１２を送り出す循環ポンプ２１と、循環ポンプ２１と内装容器４とに接続されたホースなどで構成された流路２２を有している。循環ポンプ２１は、空隙５内（外装容器１内）において水中に埋没させて使用する、いわゆる水中ポンプである。循環ポンプ２１は、空隙５内（外装容器１内）に溜められた水１２に埋没するように空間１８に配置されている。循環ポンプ２１は、吐出口２１ａと吸引口２１ｂを備えている。流路２２の一端２２ａは、循環ポンプ２４１の吐出口２１ａと接続されている。流路２２の他端２２ｂは、内装容器４の開口近傍に配置されていて、開口３から水が内装容器４に供給可能に設けられている。開口３近傍に導入口を形成し、当該導入部に流路２２の一端２２ａを接続するようにしてもよい
内装容器４には、図５に示すように、開口３から花１３を挿入することで生けることができる。
【００１４】  このような構成の花瓶１０の構成では、空隙５内に循環ポンプ２１を配置するとともに、少なくとも循環ポンプ２１が水１２内に埋没する高さまで水１２を空隙５内（外装容器１内）に注ぎ入れる。このとき、内装容器４が外装容器２と着脱自在であるので、外装容器２内に循環ポンプ２１を設置する作業や、循環ポンプ２１とを流路２２で接続する際の作業性や、内装容器４や外装容器２内を清掃する際の作業性がよい。
また、循環ポンプ２１は、外装容器２と内装容器４の間に形成した空間１８内に配置されるので、空間１８を形成しない場合に比べて、空隙５（外装容器２の内部空間）を、循環モータ２１を設置した場合でも確保することができる。
接続後、循環モータ２１を作動させると、吸引口２１ｂから吸い込まれた水１２が吐出口２１ａ、流路２２を介して内装容器４内に流れ込む。そして、本実施形態では、内装容器４内の水１２が開口部３から溢れることで、内装容器４と空隙５内との間で、水１２が循環することになる。このため、内装容器４内の水１２を入れ替えることができ、図５に示すように、生けた花１３の持ちが良くなる。また、内装容器４内から溢れた水１２は、内装容器４の周面に形成された装飾７（凹凸面）を流れ落ちるので、水の流れる音による癒し効果を期待することができるとともに、装着７部分の臨場感を高めることができる。
【００１５】  本発明者が、花瓶１０の試作品を製作し、循環モータ２１を作動させた場合と停止した場合とで、生けた花１３が枯れるまでの日数を比較したところ、循環モータ２１を作動させない場合に比べて循環モータ２１を作動させて水１２を循環させた場合の方が、長い期間、花１３が枯れずに咲いていたことを確認した。これは、内側容器４と空隙５（外側容器２）との間で水１２が循環したことで、雑菌の繁殖を抑制して水１２の痛みを遅くできたためであると推測される。
【００１６】  上記実施形態では、循環モータ２１を、内装容器４の底部４ａと外装容器２の内底部２ａとの間に形成された空間１８内に配置するようにしたが、外装容器２の容量が大きく、水１２を十分に貯留可能な空隙５を形成できる場合には、空間１８は無くてもよく、図２に示したように空隙５（外装容器２）内に配置するようにしてもよい。
【００１７】  空隙５内には、循環モータ２１だけでなく、例えば図６に示すように、少なくとも外装容器２の内部（空隙５）を照らす照明部３０を設けてもよい。照明部３０は、例えばソケット３１と、ソケット３１に装着した光源としてのＬＥＤランプ３２を備えている。光源としては、ＬＥＤランプではなく、白熱電球、ハロゲンランプ、蛍光灯、ＨＩＤランプ（Ｈｉｇｈ  Ｉｎｔｅｎｓｉｔｙ  Ｄｉｓｃｈａｒｇｅ）などを用いてもよい。
ソケット３１には電線３３が接続されていて、外装容器２の外部まで延びている。電線３３は、外装容器２に穴を開けて外部に配線するが、この際に配線の露出部分を装飾７と同様に図６中仮想線で示すモルタルなどで外装容器２の表面に対して埋設すると見栄えがよい。さらに、埋設部分のモルタルに対して外装容器２の外装と同様の色彩や形状となるように装飾して装飾部３４とすることで見栄えがよくなる。
このように、花瓶１０が照明部３０を備えることで、花瓶１０だけではなく、照明器具としても使用することができるので、多機能化を図れるとともに、装飾７，８が光によって照らされることで、装飾部分が際立つようになる。
【００１８】  以上、本発明の好ましい実施の形態について説明したが、本発明はかかる特定の実施形態に限定されるものではなく、上述の説明で特に限定しない限り、特許請求の範囲に記載された本発明の趣旨の範囲内において、種々の変形・変更が可能である。
本発明の実施の形態に記載された効果は、本発明から生じる最も好適な効果を例示したに過ぎず、本発明による効果は、本発明の実施の形態に記載されたものに限定されるものではない。
【符号の説明】
【００１９】  ２・・・外装容器、２ａ・・・外装容器の内底部、４・・・内装容器、４ａ・・・内装容器の底部、５・・・空隙、６・・・観賞窓、７、８・・・装飾、１０・・・花瓶、１２・・・水、１３・・・花、１８・・・空間、２０・・・循環手段、２１・・・循環ポンプ、２２・・・流路、３０・・・照明部
【図１】
2018075340.tif 000003
【図２】
2018075340.tif 000004
【図３】
2018075340.tif 000005
【図４】
2018075340.tif 000006
【図５】
2018075340.tif 000007
【図６】
2018075340.tif 000008